(57)【要約】【課題】  本体部をカバーで覆っても、表示面に表示される画像を見ることができ、また、表示部を動かすことなく、良好な受信状態に調整することができる放送受信装置を提供する。【解決手段】  ＴＶ受信機１は、地上波デジタル放送の受信画像を表示する表示部３０および各種操作を行う操作ボタン等を有する本体部３と、ヒンジ部４により本体部３と回動自在に取付けられたカバー部２とを備え、ヒンジ部４は、カバー部２に結合されたカバー支持部４０と、本体部３に軸４２を介して取付けられた開閉回転機構部４１と、カバー支持部４０と開閉回転機構部４１とを回動自在に支持するヒンジ軸４３とを備え、表示部の縦軸および横軸にそれぞれ平行な軸４２およびヒンジ軸４３を回動中心としてカバー部２が本体部３に対してそれぞれ回動する構成を有する。【選択図】    図１
2006094362.tif 000002
【特許請求の範囲】
【請求項１】
テレビジョン放送等の表示画像を表示面に表示する表示部を備えた本体部と、
前記本体部の表面を覆った状態で前記表示面に表示される前記表示画像を視認可能に構成されるカバー部とを備えた放送受信装置。
【請求項２】
テレビジョン放送等の表示画像を表示面に表示する表示部を備えた本体部と、
前記本体部の表面を覆った状態で前記表示面に表示される前記表示画像を視認可能に構成されるとともに前記本体部に内蔵される受信部に接続されるアンテナを有するカバー部とを備えた放送受信装置。
【請求項３】
テレビジョン放送等の表示画像を表示面に表示する表示部を備えた本体部と、
前記本体部の表面を覆った状態で前記表示面に表示される前記表示画像を視認可能な透明材料で構成されるとともに前記本体部に内蔵される受信部に接続されるアンテナを有するカバー部とを備えた放送受信装置。
【請求項４】
テレビジョン放送等の表示画像を表示面に表示する表示部を備えた本体部と、
前記本体部の表面を覆った状態で前記表示面に表示される前記表示画像を視認可能な透明材料で構成されるとともに前記本体部に内蔵される受信部に接続されるアンテナを有するカバー部と、
前記カバー部を前記本体に対して開閉回動自在に支持する開閉回転機構部とを備えた放送受信装置。
【請求項５】
テレビジョン放送等の表示画像を表示面に表示する表示部を備えた本体部と、
前記本体部の表面を覆った状態で前記表示面に表示される前記表示画像を視認可能な透明材料で構成されるとともに前記本体部に内蔵される受信部に接続されるアンテナを有するカバー部と、
前記カバー部と前記本体とを所定の姿勢で支持することによって自立させる開閉回転機構部とを備えた放送受信装置。
【請求項６】
テレビジョン放送等の表示画像を表示面に表示する表示部を備えた本体部と、
前記本体部の表面を覆った状態で前記表示面を視認可能な透明部と、前記表示面の周囲に配置されるように設けられて前記本体部に内蔵される受信部に接続されるアンテナを有するカバー部と、
前記カバー部を前記本体に対して開閉回動自在に支持する開閉回転機構部とを備えた放送受信装置。
【請求項７】
テレビジョン放送等の表示画像を表示面に表示する表示部を備え、電磁波遮蔽構造を有する本体部と、
前記本体部の表面を覆った状態で前記表示面に表示される前記表示画像を視認可能な透明材料で構成されるとともに前記本体部に内蔵される受信部に接続されるアンテナを有するカバー部とを備えた放送受信装置。
【請求項８】
前記カバー部は、前記表示面に表示される前記表示画像の視野角を制御する視野角制御部材を含むことを特徴とする請求項１から７のいずれか１項に記載の放送受信装置。
【発明の詳細な説明】
【技術分野】
【０００１】
本発明は、持ち運び可能で、カバー部で本体部を覆うことができる放送受信装置に関し、特に、本体部をカバーで覆っても、表示面に表示される画像を見ることができ、また、表示部を動かすことなく、良好な受信状態に調整することができる放送受信装置に関する。
【背景技術】
【０００２】
従来の放送受信装置として、不透明な部材で覆われた平面アンテナとテレビジョン表示画面を有する液晶テレビジョン本体とをベースに折り畳み収納可能に一体化されており、平面アンテナは、液晶テレビジョン本体のカバーの役目を果たすとともに、ベースとの間をヒンジ部により水平方向および垂直方向に回動自在に結合されているものが知られている（例えば、特許文献１参照。）。
【０００３】
この構成によれば、平面アンテナは、衛星放送の受信に最適な任意の向きと傾斜角にセットすることができる。
【特許文献１】特開平５−２３６３９７号公報（［０００９］、図１）
【発明の開示】
【発明が解決しようとする課題】
【０００４】
しかし、従来の放送受信装置によると、使用時には、必ずアンテナを立てなければならないため、アンテナが液晶テレビジョン本体を覆う状態では、電波を受信することができず、テレビジョン表示画面を見ることができない。また、テレビジョン表示画面を見るときは、アンテナを水平方向および垂直方向のみに回動して受信感度を調節することができるが、それでも受信感度が十分でない場合がある。
【０００５】
従って、本発明の目的は、カバーによって本体が覆われても表示画面を視認でき、アンテナの調節が容易な放送受信装置を提供することにある。
【課題を解決するための手段】
【０００６】
本発明は、上記目的を達成するため、テレビジョン放送等の表示画像を表示面に表示する表示部を備えた本体部と、前記本体部の表面を覆った状態で前記表示面に表示される前記表示画像を視認可能に構成されるカバー部とを備えた放送受信装置を提供する。
【０００７】
また、本発明は、上記目的を達成するため、テレビジョン放送等の表示画像を表示面に表示する表示部を備えた本体部と、前記本体部の表面を覆った状態で前記表示面に表示される前記表示画像を視認可能に構成されるとともに前記本体部に内蔵される受信部に接続されるアンテナを有するカバー部とを備えた放送受信装置を提供する。
【０００８】
また、本発明は、上記目的を達成するため、テレビジョン放送等の表示画像を表示面に表示する表示部を備えた本体部と、前記本体部の表面を覆った状態で前記表示面に表示される前記表示画像を視認可能な透明材料で構成されるとともに前記本体部に内蔵される受信部に接続されるアンテナを有するカバー部とを備えた放送受信装置を提供する。
【０００９】
また、本発明は、上記目的を達成するため、テレビジョン放送等の表示画像を表示面に表示する表示部を備えた本体部と、前記本体部の表面を覆った状態で前記表示面に表示される前記表示画像を視認可能な透明材料で構成されるとともに前記本体部に内蔵される受信部に接続されるアンテナを有するカバー部と、前記カバー部を前記本体に対して開閉回動自在に支持する開閉回転機構部とを備えた放送受信装置を提供する。
【００１０】
また、本発明は、上記目的を達成するため、テレビジョン放送等の表示画像を表示面に表示する表示部を備えた本体部と、前記本体部の表面を覆った状態で前記表示面に表示される前記表示画像を視認可能な透明材料で構成されるとともに前記本体部に内蔵される受信部に接続されるアンテナを有するカバー部と、前記カバー部と前記本体とを所定の姿勢で支持することによって自立させる開閉回転機構部とを備えた放送受信装置を提供する。
【００１１】
また、本発明は、上記目的を達成するため、テレビジョン放送等の表示画像を表示面に表示する表示部を備えた本体部と、前記本体部の表面を覆った状態で前記表示面を視認可能な透明部と、前記表示面の周囲に配置されるように設けられて前記本体部に内蔵される受信部に接続されるアンテナを有するカバー部と、前記カバー部を前記本体に対して開閉回動自在に支持する開閉回転機構部とを備えた放送受信装置を提供する。
【００１２】
また、本発明は、上記目的を達成するため、テレビジョン放送等の表示画像を表示面に表示する表示部を備え、電磁波遮蔽構造を有する本体部と、前記本体部の表面を覆った状態で前記表示面に表示される前記表示画像を視認可能な透明材料で構成されるとともに前記本体部に内蔵される受信部に接続されるアンテナを有するカバー部とを備えた放送受信装置を提供する。
【発明の効果】
【００１３】
本発明の放送受信装置によれば、カバーによって本体が覆われても表示画面を視認でき、アンテナの調節を容易に行うことができる。
【発明を実施するための最良の形態】
【００１４】
（第１の実施の形態）
（ＴＶ受信機１の構成）
図１は、本発明の第１の実施の形態に係る放送受信装置としてのテレビジョン受信機の斜視図である。このテレビジョン受信機（以下「ＴＶ受信機」という。）１は、地上波デジタル放送の映像のほかに、後述するメモリカードから読み込んだ映像や、写真等の画像の表示画像を可視的に表示する表示部および各種操作を行う操作ボタン等を有する本体部３と、ヒンジ部４により本体部３と回動自在に取付けられたカバー部２とを備える。
【００１５】
本体部３は、受信した映像やメニューを表示面３０ａに表示する表示部３０と、このＴＶ受信機１に入力される電源のオンオフを行う電源スイッチ３１と、表示面３０ａに表示されたカーソル移動や画面のスクロールを行うカーソルキー３２と、画面上で選択された動作を決定してその動作を行わせる決定スイッチ３３と、メニュー画面を表示させるメニュースイッチ３４と、決定スイッチ３３により選択された操作を取り消す取り消しスイッチ３５と、表示面３０ａに表示された画像を記憶させるための記録スイッチ３６と、テレビジョン放送の音声信号を可聴信号に変換してスピーカから出力する音声出力部３７と、音声出力部３７から出力される可聴信号の音量レベルを調節する音量調整部３８と、受信チャンネルを切換えるチャンネル切換部３９とを備える。本体部３は、アルミニウム、ステンレス鋼等の金属により形成されている。
【００１６】
表示部３０は、表示面３０ａにテレビジョン放送の映像やメニューをカラー又は白黒表示するものであり、例えば、液晶ディスプレイが用いられるが、これに限定するものではなく、他の表示デバイスを用いることもできる。
【００１７】
カーソルキー３２は、表示面３０ａに表示された映像や画像のメニュー、読み込み、記録等の動作を選択するためのカーソルを移動させ、また、画面のスクロールを行う。
【００１８】
メニュースイッチ３４は、操作に基づいて映像や画像の輝度、コントラスト等の調整、オンタイマの設定等の各種メニューを表示面３０ａに表示させる。
【００１９】
記録スイッチ３６は、表示面３０ａに表示された映像や画像を図示しないメモリカードスロットに挿入されたＳＤ（Secure Digital）メモリカード等のメモリカードに記憶させる。また、メモリカードが挿入されていない場合には、本体部３に内蔵されたメモリを選択して記憶させることも可能である。
【００２０】
カバー部２は、アクリル、ＡＢＳ等の透明な部材からなり、テレビジョン放送受信用のアンテナ２０がカバー部２の表面または内部の周縁近傍に配設されるとともに、後述するように本体部３を覆うことができるようになっている。カバー部２は、透明な部材で形成されているため、本体部３の上に折り畳んだ場合であっても、表示面３０ａに表示される画像を見ることが可能である。
【００２１】
アンテナ２０は、銅線、あるいは透明な部材上に形成した銅パターン等からなるループ状のアンテナが用いられるが、このタイプのアンテナに限定するものではなく、平面状のアンテナであればよい。このアンテナ２０は、例えば、ＵＨＦ放送の周波数帯域をカバーするように構成される。
【００２２】
ヒンジ部４は、カバー部２に結合されたカバー支持部４０と、本体部３に軸４２を介して回転自在に取付けられた開閉回転機構部４１と、カバー支持部４０と開閉回転機構部４１とを回動自在に支持するヒンジ軸４３とを備え、Ｙ−Ｙ方向に設けられる軸４２およびＸ−Ｘ方向に設けられるヒンジ軸４３により本体部３とカバー部２がそれぞれ回動するように構成されている。
【００２３】
図２および図３は、ヒンジ部の動きを説明する図であり、図２は、軸４２の中心としてカバー部２を回動させた状態を示す斜視図である。カバー部２は、軸４２を中心に時計方向および反時計方向にそれぞれ１８０度回転することができ、かつ、任意の位置で固定することができる。
【００２４】
図３（ａ）から（ｃ）は、ヒンジ部４がヒンジ軸４３を中心として回動することを示す説明図である。図３（ａ）に示すように、表示部３が閉じた状態にあっては、本体部３とカバー部２は、重なり合う状態となっている。この状態からＡ方向にカバー部２を開き、図３（ｂ）に示すようにヒンジ軸４３を回動中心としてカバー部２を本体部３に対して回動し、使用者が表示部３０を視認できる状態とし、いわゆるアンテナを立てた状態とすることができる。この状態で、軸４２を回動中心としてカバー部２をＢ方向に略１８０°回動し、次いで、カバー部２をヒンジ軸４３を回動中心としてＣ方向にカバー部２と表示部３が接近する方向に回動する。このとき、本体部３とカバー部２を机等の平面上に載置すると、図３（ｃ）に示すようにＴＶ受信機１は自立し、倒れず、縦置き状態となる。
【００２５】
図４は、本発明の第１の実施の形態に係るＴＶ受信機の受信系の構成を示すブロック図である。このＴＶ受信機１は、アンテナ９０で受信されたデジタル衛星放送を選局する受信部１００と、受信部１００で選局されたデジタル衛星放送のＴｒａｎｓｐｏｒｔ  ＳｔｒｅａｍをＤｅｍｕｘ処理するＴＳ（Ｔｒａｎｓｐｏｒｔ  Ｓｔｒｅａｍ）処理部１１０と、ＴＳ処理部１１０の出力信号をデコード処理するデコード部１２０と、デコード部１２０の出力信号に所定のグラフィックを重畳するグラフィック重畳部１３０と、グラフィックが重畳された信号を映像処理する映像信号処理部１４０と、映像信号処理部１４０からの映像信号を表示する画像表示部１５０と、ＡＣ３等の音声圧縮のデコード処理を行ってスピーカ１７０に音声信号を出力する音声信号処理部１６０と、ＴＶ受信機１の各部を制御するＣＰＵ１８０と、半導体やＤＶＤ、ＨＤＤ、ＶＴＲ等のメモリ１９０と、ＣＰＵ１８０に制御され、ＴＶ受信機１の各部に電力を供給する電源２００とを備える。
【００２６】
（第１の実施の形態の効果）
上記した本発明の第１の実施の形態に係るＴＶ受信機１によれば、下記の効果を奏することができる。
（イ）カバー部２が透明な部材で形成されているので、カバー部２で本体部３を覆っても、表示面３０ａに表示された地上波デジタル放送の映像等の画像を見ることができる。
（ロ）カバー部２で本体部３を覆った場合にカバー部２が表示部３０のカバーの役目を果たすので、各操作スイッチの誤操作を防止するとともに、汚れや水分の侵入から表示部３０および各種スイッチ類を保護することができる。
（ハ）カバー部２にアンテナ２０を設けているので、アンテナを別途準備する必要がない。また、装置表面に突出する部材がなく外観に優れる。
（ニ）カバー部２は、ヒンジ部４の軸４２に対して回動することができるので、偏波面を変更することができ、ユーザが本体部３の向きを変えることなく、良好な受信状態に速やかに調整することができる。
（ホ）カバー部２は、開閉角および回転角を変えることにより、ＴＶ受信機１のスタンドとすることができるので、本体部３を手に保持せずに卓上等に自立させて映像や画像を見ることができる。
（ヘ）本体部３を金属で形成しているので、内部で発生する高周波のデジタルノイズ等の輻射ノイズが外部に漏れないように遮蔽することができ、輻射ノイズがアンテナに回り込むことを防止できる。このことより、カバー部２に設けられるアンテナ２０のノイズによる受信感度低下が抑制されて良好な受信感度が得られる。また、外部からもたらされる電磁波に対しても保護することができる。
【００２７】
なお、第１の実施の形態では、ループ状のアンテナ２０を設けた構成を説明したが、他のアンテナとして、例えば、棒状のロッドアンテナを用いても良く、さらにロッドアンテナをＴＶ受信機１のスタンドとして用いることも可能である。
【００２８】
（第２の実施の形態）
図５は、本発明の第２の実施の形態に係るＴＶ受信機のカバー部を示す図である。なお、以下の説明において、第１の実施の形態と同一の構成および機能を有する部分については共通の引用数字を付している。
【００２９】
このカバー部２は、長さの異なるアンテナ２０Ａおよび２０Ｂを有する構成において第１の実施の形態のカバー部２と相違している。アンテナ２０Ａは、アンテナ２０Ｂより長く形成されており、アンテナ２０Ａは、例えば、ＵＨＦ放送の低い周波数帯域を、アンテナ２０Ｂは同じく高い周波数帯域をカバーする。
【００３０】
（第２の実施の形態の効果）
上記した第２の実施の形態によれば、アンテナ２０Ａ，２０Ｂの長さを変えて設けたので、ＵＨＦ放送のみならず、種々の周波数帯域に対応させることが可能となる。
【００３１】
（第３の実施の形態）
図６は、本発明の第３の実施の形態に係るＴＶ受信機を示し、（ａ）はカバー部を開いた第１の状態、（ｂ）はカバー部を閉じた第２の状態である。このテレビジョン受信機１は、図６（ａ）に示すようにカバー部２に視野角制御フィルタ２３を設けたものであり、表示面３０ａに表示された表示画像に対する可視範囲を制限するようにしている。図６（ａ）の状態では、表示面３０ａに表示される表示画像３０ｂを視認することができる。
【００３２】
一方、図６（ｂ）に示すようにカバー部２を閉じると、視野角制御フィルタ２３によって図６（ａ）と同一方向からは表示面３０ａの表示画像３０ｂを視認できない状態、あるいは視認しにくい状態となる。但し、この場合でも表示面３０ａの正面方向からは表示画像３０ｂを視認することが可能である。
【００３３】
（第３の実施の形態の効果）
上記した第３の実施の形態によれば、カバー部２に視野角制御フィルタ２３を設けたので、ユーザの近隣に人がいる状況でも表示面３０ａに表示される表示画像３０ｂを他人から見えにくくすることができる。
【００３４】
なお、第３の実施の形態では、視野角制御フィルタ２３をカバー部２に設けた構成を説明したが、視野角制御フィルタ２３とカバー部２とを別々に設けても良い。例えば、視野角制御フィルタ２３を本体部３の表面に取り付けることも可能である。この場合、各スイッチ類の操作性を損なうことがないように、表示面３０ａの部分のみを覆うように着脱自在に設けることが好ましい。
【００３５】
（第４の実施の形態）
図７は、第４の実施の形態に係るＴＶ受信機を示す斜視図である。このＴＶ受信機１は、カバー部２に設けられたアンテナ２０を覆うマスク部２１が形成されている構成において第１の実施の形態と相違している。
【００３６】
カバー部２は、本体部３の表面を覆う状態としたとき、表示部３０が視認できるように透明部２２が形成されており、その他の部分については塗装によってマスク部２１が形成されている。なお、マスク部２１は、塗装によるもの以外に、例えば、着色された樹脂材料あるいは金属材料によって形成されても良い。
【００３７】
（第４の実施の形態の効果）
上記した第４の実施の形態によれば、カバー部２に設けられたアンテナ２０を覆うマスク部２１が形成されているため、アンテナ２０や、各種スイッチ類が見えることによる煩雑な外観を改善し、整然とした外観を付与することができる。
【００３８】
なお、第４の実施の形態では、カバー部２に対してマスク部２１を塗装により設ける構成を説明したが、カバー部２とマスク部２１とが分離可能な構成としても良い。例えば、ユーザの好みでマスク部２１の色や図柄を任意に変更できるようにすると、ＴＶ受信機１に装飾性を付与することができ、独自性を求めるユーザの所有感を高めることができる。
【００３９】
また、カバー部２に設けられる透明部２２は、着脱自在な構成としても良い。このような構成とすることで、例えば、透明部２２に傷が付いた場合にカバー部２全体を交換することなく透明部２２の交換で対応でき、部品交換コストを安価にできる。
【００４０】
また、装着可能な透明部２２は、第３の実施の形態で説明した視野角制御フィルタ２３の機能を有する透明部２２としても良く、この場合には、ユーザの好みにより任意に装着可能な後付け部品として提供できる。また、透明部２２に代えて着色されたフィルタを装着するようにしても良い。また、カバー部２は、透明部２２を外した状態で使用することも可能である。
【００４１】
上記した各実施の形態では、地上波デジタル放送を受信するＴＶ受信機の構成について説明したが、地上波デジタル放送以外の他の放送を受信するＴＶ受信機に適用することも可能である。
【図面の簡単な説明】
【００４２】
【図１】本発明の第１の実施の形態に係る放送受信装置としてのテレビジョン受信機の斜視図である。
【図２】軸に対してカバー部を回動させた状態を示す斜視図である。
【図３】（ａ）から（ｃ）は、ヒンジ部がヒンジ軸を中心として回動することを示す説明図である。
【図４】本発明の第１の実施の形態に係るＴＶ受信機の受信系の構成を示すブロック図である。
【図５】本発明の第２の実施の形態に係るＴＶ受信機のカバー部を示す図である。
【図６】本発明の第３の実施の形態に係るＴＶ受信機を示し、（ａ）はカバー部を開いた第１の状態、（ｂ）はカバー部を閉じた第２の状態である。
【図７】本発明の第４の実施の形態に係るＴＶ受信機を示す斜視図である。
【符号の説明】
【００４３】
１…テレビジョン受信機、２……カバー部、３…本体部、４…ヒンジ部、２０…アンテナ、２０Ａ，２０Ｂ…アンテナ、２１…マスク部、２２…透明部、２３…視野角制御フィルタ、３０…表示部、３０ａ…表示面、３１…電源スイッチ、３２…カーソルキー、３３…決定スイッチ、３４…メニュースイッチ、３５…スイッチ、３６…記録スイッチ、３７…音声出力部、３８…音量調整部、３９…チャンネル切換部、４０…カバー支持部、４１…開閉回転機構部、４２…軸、４３…ヒンジ軸、９０…アンテナ、１００…受信部、１１０…処理部、１２０…デコード部、１３０…グラフィック重畳部、１４０…映像信号処理部、１５０…画像表示部、１６０…音声信号処理部、１７０…スピーカ、１８０…ＣＰＵ、１９０…メモリ、２００…電源
【図１】
2006094362.tif 000003
【図２】
2006094362.tif 000004
【図３】
2006094362.tif 000005
【図４】
2006094362.tif 000006
【図５】
2006094362.tif 000007
【図６】
2006094362.tif 000008
【図７】
2006094362.tif 000009